(57)【特許請求の範囲】
【請求項１】
柱体と、柱体に相対昇降可能に設けられたロックベースと、柱体に設けられたロック孔と、ロックベースに長手方向に移動可能に設けられてロック孔に突入するロック位置とロック孔から抜け出るアンロック位置とをとり得るロックピンと、ロックベースに設けられてロックピンを常時ロック位置に付勢する弾性体と、ロックベースに搖動可能に設けられてロックピンをアンロック位置にし得る操作レバーと、ロックピンをロック位置に保持し得るロック保持手段と、ロックピンをロック位置に保持した際に同状態を維持しつつ操作レバーのアンロック側への搖動を許容する搖動許容手段と、を備え、 搖動許容手段は、ロックピンと操作レバーとの間に設けられてロックピンがロック保持解除位置の時にはロックピンと操作レバーとを係合させると共にロックピンがロック保持位置の時にはロックピンと操作レバーとの係合を解除する係脱機構と、ロックベースとロックピンとの間に設けられてロックピンをロック保持解除位置からロック保持位置まで回動するに連れてロックピンをアンロック側へ所定距離だけ移動させるカム機構と、ロックベースと操作レバーとの間に設けられて操作レバーを常時ロック側へ付勢する操作レバー弾性体と、ロックピンと操作レバーの両方を常時ロック側に付勢する弾性体とを備えていることを特徴とするテント用ロック装置。
【請求項２】
ロック保持手段は、ロックベースに長手方向に移動可能且つ長手方向軸廻りに回動可能に設けられたロックピンと、ロックピンに設けられてこれを外部から回動操作可能な回動操作体と、ロックベースとロックピンとの間に設けられてロックピンの回動を規制してロックピンをロック保持位置とロック保持解除位置とにし得る回動規制機構と、ロックベースとロックピンとの間に設けられてロックピンがロック保持位置の時にはロックピンの長手方向の移動を阻止すると共にロックピンがロック保持解除位置の時にはロックピンの長手方向の移動を許容する抜止機構と、ロックピンと操作レバーとの間に設けられてロックピンがロック保持解除位置を保つ様にロックピンの自由回動を規制する自由回動規制機構とを備えている請求項１に記載のテント用ロック装置。
【請求項３】
回動規制機構は、回動操作体と、ロックベースに設けられてロックピンがロック保持位置とロック保持解除位置の時には回動操作体の一部が当合し得る突起とを備え、回動操作体が水平状態の時にはロックピンをロック保持位置にすると共に、回動操作体が垂直状態の時にはロックピンをロック保持解除位置にする様にされている請求項２に記載のテント用ロック装置。
【請求項４】
抜止機構は、ロックピンの略小判型を呈する鍔片と、ロックベースに設けられてロックピンがロック保持位置の時には鍔片に当合し得ると共にロックピンがロック保持解除位置の時には鍔片との当合が回避される抜止片とを備えている請求項２又は３に記載のテント用ロック装置。
【請求項５】
自由回動規制機構は、操作レバーの二股状を呈するフォーク片と、ロックピンの鍔片に形成されてロックピンがロック保持解除位置の時には操作レバーの両フォーク片間に挟まれて嵌合される係合部とを備えている請求項２〜４の何れかに記載のテント用ロック装置。
【請求項６】
係脱機構は、操作レバーの二股状を呈するフォーク片と、ロックピンの略小判型を呈する鍔片とを備え、操作レバーの両フォーク片の内側間隔よりロックピンの鍔片の最小幅が小さくされて操作レバーの両フォーク片間をロックピンの鍔片が通過可能にされている請求項１〜５の何れかに記載のテント用ロック装置。
【請求項７】
カム機構は、ロックピンの略小判型を呈する鍔片と、鍔片のロック側の面に対向するロックベースに形成されて鍔片に当合し得るカム面とを備えている請求項１〜６の何れかに記載のテント用ロック装置。
【請求項８】
操作レバーの操作片と柱体との間には、これらの間に位置して操作レバーのアンロック側への搖動を阻止する阻止位置と、これらの間から離脱して操作レバーのアンロック側への搖動を許容する解除位置とをとり得る遮断手段が設けられている請求項１〜７の何れかに記載のテント用ロック装置。
【請求項９】
遮断手段は、ロックベースに設けられたブラケットと、ブラケットに設けられて操作レバーの操作片と柱体との間に位置する阻止位置から操作レバーの操作片と柱体との間から離脱する解除位置まで俯仰可能な遮断体とを備えている請求項８に記載のテント用ロック装置。
【発明の詳細な説明】
【技術分野】
【０００１】
本発明は、主としてテントを構成する柱体と梁体との間や柱体の外筒と内筒との間に用いられ、とりわけロックピンをロック位置に保持するロック保持手段を備えたテント用ロック装置の改良に関する。
【背景技術】
【０００２】
従来、この種のテント用ロック装置としては、例えば特許文献１や特許文献２に記載されたものが知られている。
当該テント用ロック装置は、基本的には、柱体と、柱体に相対昇降可能に設けられたロックベースと、柱体に設けられたロック孔と、ロックベースに長手方向に移動可能に設けられてロック孔に突入するロック位置とロック孔から抜け出るアンロック位置とをとり得るロックピンと、ロックベースに設けられてロックピンを常時ロック位置に付勢する弾性体と、ロックベースに搖動可能に設けられてロックピンをアンロック位置に作動し得る操作レバーと、ロックピンをロック位置に保持し得るロック保持手段と、から構成されている。
【０００３】
而して、この様なものは、柱体とロックベースを相対昇降させてロック孔とロックピンが合致したならば、弾性体に依りロックピンがロック孔に突入されてロック位置になり、柱体とロックベースとの相対昇降が阻止される。
この様な状態から、弾性体に抗して操作レバーを搖動させると、ロックピンがロック孔から抜け出てアンロック位置にされ、柱体とロックベースとの相対昇降が許容される。
ロック保持手段が作動されると、ロックピンがロック位置に保持される。この為、操作レバーを誤操作してロックピンをアンロック位置にしようとしても、ロックピンがロック保持手段に依りロック位置に保持されているので、柱体とロックベースとの相対昇降が阻止される。
【先行技術文献】
【特許文献】
【０００４】
【特許文献１】特許第４５４２１２９号公報
【特許文献２】特開２０１０−２５５３６９号公報
【発明の概要】
【発明が解決しようとする課題】
【０００５】
ところが、従来のものは、ロックピンをアンロック位置に移動できる様に、ロックピンと操作レバーとが常に係合されていた。
この為、ロックピンがロック位置に保持された状態で操作レバーがアンロック側へ普通に操作されると、ロックピンがロック位置に保持されて動かないと共に、これに依って操作レバーも動かないので、誤ってロック状態が解除される事がなく、安全性が確保される。
然しながら、この場合、操作レバーがアンロック側へ誤って強い力に依り操作されると、ロックピンがロック位置に保持されて動かないと共に、これに依って操作レバーも動かないので、操作レバーが折れ曲がったりして構成部品の損傷や作動不良を誘発する惧れがあった。
【０００６】
本発明は、叙上の問題点に鑑み、これを解消する為に創案されたもので、その課題とする処は、ロックピンがロック位置に保持された状態で操作レバーがアンロック側へ誤って強い力に依り操作されても、構成部品の損傷や作動不良を誘発する惧れがない様にしたテント用ロック装置を提供するにある。
【課題を解決するための手段】
【０００７】
本発明のテント用ロック装置は、基本的には、柱体と、柱体に相対昇降可能に設けられたロックベースと、柱体に設けられたロック孔と、ロックベースに長手方向に移動可能に設けられてロック孔に突入するロック位置とロック孔から抜け出るアンロック位置とをとり得るロックピンと、ロックベースに設けられてロックピンを常時ロック位置に付勢する弾性体と、ロックベースに搖動可能に設けられてロックピンをアンロック位置にし得る操作レバーと、ロックピンをロック位置に保持し得るロック保持手段と、ロックピンをロック位置に保持した際に同状態を維持しつつ操作レバーのアンロック側への搖動を許容する搖動許容手段と、から構成した事に特徴が存する。
【０００８】
柱体とロックベースが相対昇降されてロック孔とロックピンが合致したならば、弾性体に依りロックピンがロック孔に突入されてロック位置になり、柱体とロックベースとの相対昇降が阻止される。
この様な状態から、弾性体に抗して操作レバーがアンロック側へ搖動されると、ロックピンがロック孔から抜け出てアンロック位置にされ、柱体とロックベースとの相対昇降が許容される。
ロック保持手段が作動されると、ロックピンがロック位置に保持される。この為、操作レバーを誤操作してロックピンをアンロック位置にしようとしても、ロックピンがロック保持手段に依りロック位置に保持されているので、柱体とロックベースとの相対昇降が阻止される。
ロック保持手段に依りロックピンがロック位置に保持されている状態に於て、操作レバーがアンロック側へ誤って搖動操作された場合には、搖動許容手段に依りロックピンがロック位置に保持された状態を維持しつつ操作レバーのアンロック側への搖動が許容される。この為、操作レバーが折れ曲がったりする惧れがなく、構成部品の損傷や作動不良を誘発する事がなくなる。
【０００９】
ロック保持手段は、ロックベースに長手方向に移動可能且つ長手方向軸廻りに回動可能に設けられたロックピンと、ロックピンに設けられてこれを外部から回動操作可能な回動操作体と、ロックベースとロックピンとの間に設けられてロックピンの回動を規制してロックピンをロック保持位置とロック保持解除位置とにし得る回動規制機構と、ロックベースとロックピンとの間に設けられてロックピンがロック保持位置の時にはロックピンの長手方向の移動を阻止すると共にロックピンがロック保持解除位置の時にはロックピンの長手方向の移動を許容する抜止機構と、ロックピンと操作レバーとの間に設けられてロックピンがロック保持解除位置を保つ様にロックピンの自由回動を規制する自由回動規制機構とを備えているのが好ましい。この様にすれば、ロックピンを利用してロック保持手段を構成できるので、それだけ構造が簡単化されてコストの低減と省スペース化を図る事ができる。
【００１０】
搖動許容手段は、ロックピンと操作レバーとの間に設けられてロックピンがロック保持解除位置の時にはロックピンと操作レバーとを係合させると共にロックピンがロック保持位置の時にはロックピンと操作レバーとの係合を解除する係脱機構と、ロックベースとロックピンとの間に設けられてロックピンをロック保持解除位置からロック保持位置まで回動するに連れてロックピンをアンロック側へ所定距離だけ移動させるカム機構と、ロックベースと操作レバーとの間に設けられて操作レバーを常時ロック側へ付勢する操作レバー弾性体と、ロックピンと操作レバーの両方を常時ロック側に付勢する弾性体とを備えているのが好ましい。この様にすれば、ロックピンと操作レバーを利用して係脱機構を構成できるので、それだけ構造が簡単化されてコストの低減と省スペース化を図る事ができる。カム機構を設けた事に依り係脱機構に依るロックピンと操作レバーとの係合・離脱が確実に行える。操作レバー弾性体を設けた事に依り操作レバーをロック側へ確実に戻す事ができる。弾性体を利用する事に依りロックピンだけでなく操作レバーもロック側へ戻す事ができる。
【００１１】
回動規制機構は、回動操作体と、ロックベースに設けられてロックピンがロック保持位置とロック保持解除位置の時には回動操作体の一部が当合し得る突起とを備え、回動操作体が水平状態の時にはロックピンをロック保持位置にすると共に、回動操作体が垂直状態の時にはロックピンをロック保持解除位置にする様にされているのが好ましい。この様にすれば、回動操作体を利用すると共に、ロックベースに突起を設けるだけで済むので、それだけ構造が簡単化されてコストの低減を図る事ができる。ロックピンをアンロック位置にできるロック保持解除位置の時には、回動操作体が垂直状態を為すと共に、突起との関係に依り一見しただけで、回動操作体の操作方向が判るだけでなく操作レバーとは操作方向（回動方向）が異なる事が判断できる。もし、回動操作体を水平状態にして足に依り踏んでこれを操作しても、突起がある事に依り回動操作体の下動が物理的にも阻止され、これらの損傷等を防止する事ができる。
【００１２】
抜止機構は、ロックピンの略小判型を呈する鍔片と、ロックベースに設けられてロックピンがロック保持位置の時には鍔片に当合し得ると共にロックピンがロック保持解除位置の時には鍔片との当合が回避される抜止片とを備えているのが好ましい。この様にすれば、ロックピンの鍔片を利用したので、それだけ構造が簡単化されてコストの低減を図る事ができる。
【００１３】
自由回動規制機構は、操作レバーの二股状を呈するフォーク片と、ロックピンの鍔片に形成されてロックピンがロック保持解除位置の時には操作レバーの両フォーク片間に挟まれて嵌合される係合部とを備えているのが好ましい。この様にすれば、ロックピンの鍔片に係合部を形成するだけで済むので、それだけ構造が簡単化されてコストの低減を図る事ができる。
【００１４】
係脱機構は、操作レバーの二股状を呈するフォーク片と、ロックピンの略小判型を呈する鍔片とを備え、操作レバーの両フォーク片の内側間隔よりロックピンの鍔片の最小幅が小さくされて操作レバーの両フォーク片間をロックピンの鍔片が通過可能にされているのが好ましい。この様にすれば、ロックピンの鍔片と操作レバーのフォーク片を利用したので、それだけ構造が簡単化されてコストの低減を図る事ができる。
【００１５】
カム機構は、ロックピンの略小判型を呈する鍔片と、鍔片のロック側の面に対向するロックベースに形成されて鍔片に当合し得るカム面とを備えているのが好ましい。この様にすれば、ロックピンの鍔片を利用したので、それだけ構造が簡単化されてコストの低減を図る事ができる。
【００１６】
操作レバーの操作片と柱体との間には、これらの間に位置して操作レバーのアンロック側への搖動を阻止する阻止位置と、これらの間から離脱して操作レバーのアンロック側への搖動を許容する解除位置とをとり得る遮断手段が設けられているのが好ましい。この様にすれば、遮断手段を阻止位置にして置けば、例えば子供等が誤って操作レバーをアンロック側へ操作しても、搖動できなくなるので、操作レバーの操作片と柱体との間に指等を挟む惧れがなくなり、安全性が向上する。
【００１７】
遮断手段は、ロックベースに設けられたブラケットと、ブラケットに設けられて操作レバーの操作片と柱体との間に位置する阻止位置から操作レバーの操作片と柱体との間から離脱する解除位置まで俯仰可能な遮断体とを備えているのが好ましい。この様にすれば、操作レバーの操作片と柱体を利用して遮断体を設けるだけで遮断手段を構成できるので、それだけ構造が簡単化されてコストの低減を図る事ができる。
【発明の効果】
【００１８】
本発明に依れば、次の様な優れた効果を奏する事ができる。
（１）  柱体、ロックベース、ロック孔、ロックピン、弾性体、操作レバー、ロック保持手段、搖動許容手段とで構成し、とりわけロックピンをロック位置に保持した際に同状態を維持しつつ操作レバーのアンロック側への搖動を許容する搖動許容手段を設けたので、ロックピンがロック位置に保持された状態で操作レバーがアンロック側へ誤って強い力に依り操作されても、構成部品の損傷や作動不良を誘発する惧れがない。
（２）  操作レバーの操作片と柱体との間に、これらの間に位置して操作レバーのアンロック側への搖動を阻止する阻止位置と、これらの間から離脱して操作レバーのアンロック側への搖動を許容する解除位置とをとり得る遮断手段を設けた場合は、操作レバーの操作片と柱体との間に指等を挟む惧れがなくなり、安全性が向上する。
【図面の簡単な説明】
【００１９】
【図１】本発明のテント用ロック装置を示す分解斜視図。
【図２】ロックベースの蓋体とロックピンと操作レバーとを示す分解斜視図。
【図３】ロック保持解除状態を示す縦断側面図。
【図４】図３の縦断背面図。
【図５】柱体の外筒とロックベースと外筒側摺動体との取付状態を示す縦断正面図。
【図６】柱体の外筒と内筒と嵌合状態を示す横断平面図。
【図７】アンロック状態を示す図３と同様図。
【図８】ロック保持状態を示す図３と同様図。
【図９】図８の縦断背面図。
【図１０】操作レバーの搖動許容状態を示す斜視図。
【図１１】遮断手段を備えたテント用ロック装置を示す図８と同様図。
【図１２】図１１の縦断背面図。
【発明を実施するための形態】
【００２０】
以下、本発明の実施の形態を、図面に基づいて説明する。
図１〜図１２は、本発明のテント用ロック装置を示している。尚、図１に於て、上側が上側、下側が下側、右上側が前側、左下側が後側、右下側が右側、左上側が左側と規定する。
【００２１】
図１〜図１２に於て、テント用ロック装置１は、柱体２、ロックベース３、ロック孔４、ロックピン５、弾性体６、操作レバー７、ロック保持手段８、搖動許容手段９、遮断手段１０とからその主要部が構成されている。
【００２２】
柱体２は、テント用ロック装置１の基本部分を為すもので、この例では、上下方向に長尺なアルミニウム等の金属製にしてあり、外筒１１とこれに摺動可能に内嵌された内筒１２とを備えている。
外筒１１は、断面略正方形の角筒状を呈して居り、下部の左右両側には、掛合孔１３が穿設されていると共に、後側には、ロック孔４に連通する通孔１４が穿設されている。
内筒１２は、外筒１１より小径で同じく断面略正方形の角筒状を呈し、内側四隅には、断面略正方形の補強リブ１５を備えている。
【００２３】
外筒１１の下部には、これに取付けられて内筒１２を摺動可能に案内する為の外筒側摺動体１６が設けられていると共に、内筒１２の上部には、これに取付けられて外筒１１を摺動可能に案内する為の内筒側摺動体１７が設けられている。
外筒側摺動体１６は、合成樹脂製にしてあり、外筒１１の下端に当合される四枠状の枠片１８と、これの各辺に立設されて外筒１１の下部内側に位置して内筒１２の外面に摺接される四つの摺動片１９と、左右の摺動片１９に外向きに突設されて外筒１１の掛合孔１３に掛合される突起２０と、後側の摺動片１９に穿設されて外筒１１の通孔１４に連通する通孔２１とを備えている。
内筒側摺動体１７は、同じく合成樹脂製にしてあり、内筒１２の上端に当合される蓋片２２と、これの下側に連設されて内筒１２の上部内側に嵌入される嵌入片２３と、外筒摺動体１６の摺動片１９に干渉しない様に蓋片２２の四隅に突設されて外筒１１の内面に摺接される合計八つの摺動片２４とを備えている。
【００２４】
ロックベース３は、柱体２に相対昇降可能に設けられたもので、この例では、外筒１１に固定されて合成樹脂製にしてあり、外筒１１に外嵌される角筒状の筒体２５と、これの後側に突設されて略半円状の収容腔が形成されて後方が開放された箱体２６と、これの後方を閉塞する蓋体２７とを備えている。
筒体２５の左右両側には、外筒１１の掛合孔１３に連通して外筒側摺動体１６の突起２０が掛合される掛合孔２８が形成されている。
筒体２５と蓋体２７には、ロックピン５を貫通して案内する為の案内孔２９が形成されている。
箱体２６の上部には、収容腔に連通されて操作レバー７が挿入される左右の挿入孔３０が形成されている。一方（右方）の挿入孔３０は、幅広にしてある。
箱体２６の底壁には、内部に侵入した雨水等を外部へ排出し得る複数（二つ）の排出口３１が形成されている。
蓋体２７は、ビス等の止具３２に依り箱体２６に着脱可能に取付けられて居り、案内孔２９の前側には、これより大径で弾性体６の一側を支持する為の受孔３３が形成されていると共に、後面には、ロック保持状態を示す「ＯＮ」の文字とロック保持解除状態を示す「ＯＦＦ」の文字と回動方向を示す「両矢印」の図形が表記されている。
【００２５】
ロック孔４は、柱体２に設けられたもので、この例では、内筒１２に設けられて居り、適数のものが内筒１２の後側の長手方向（上下方向）に所定間隔を置いて穿設されている。図面では、一つだけを示している。
【００２６】
ロックピン５は、ロックベース３に長手方向に移動可能に設けられてロック孔４に突入するロック位置とロック孔４から抜け出るアンロック位置とをとり得るもので、この例では、アルミニウム等の金属製で略円柱状を呈して居り、ロックベース３の案内孔２９に前後方向に移動可能且つ前後方向軸廻りに回動可能に設けられている。
ロックピン５の前側には、窪所が形成されてここには合成樹脂製で円柱状の摺接片３４が前側を除いて嵌合されている。ロックピン５の中程には、小判型の鍔片３５が形成されている。ロックピン５の後部には、両側が切除されて取付片３６が形成されている。
【００２７】
弾性体６は、ロックベース３に設けられてロックピン５を常時ロック位置に付勢するもので、この例では、スプリング鋼等の金属製で圧縮型の円錐コイルスプリングにしてあり、大径部を前側（ロック孔４側つまりロック側）に向けてロックピン５に後側から挿通されると共に、ロックピン５の鍔片３５とロックベース３の蓋体２７の受孔３３との間に介設されて居り、ロックピン５を常に前側に付勢している。
【００２８】
操作レバー７は、ロックベース３に搖動可能に設けられてロックピン５をアンロック位置に作動し得るもので、この例では、アルミニウム等の金属製で二股状を呈するフォーク片３７と、これの中程に折曲して形成されたボス片３８と、フォーク片３７の上部に一体的に付設されて合成樹脂製で略半円板状を呈する操作片３９とを備えている。
操作レバー７のフォーク片３７とボス片３８は、ロックベース３の挿入孔３０に挿入される。そして、フォーク片３７の先部は、ロックピン５に跨った状態で鍔片３５の前側に位置されると共に、ボス片３８は、左右方向の支軸（ボルト）４０に依りロックベース３に対して前後方向に搖動（横軸廻りに回動）可能に取付けられる。
操作レバー７は、ロックピン５をロック位置にし得るロック側（図３参照）からロックピン５をアンロック位置にし得るアンロック側（図７参照）まで搖動する事ができる。
【００２９】
ロック保持手段８は、ロックピン５をロック位置に保持し得るもので、この例では、ロックベース３に長手方向に移動可能且つ長手方向軸廻りに回動可能に設けられたロックピン５と、ロックピン５に設けられてこれを外部から回動操作可能な回動操作体４１と、ロックベース３とロックピン５との間に設けられてロックピン５の回動を規制してロックピン５をロック位置に保持するロック保持位置とこのロック位置の保持を解除するロック保持解除位置とにし得る回動規制機構４２と、ロックベース３とロックピン５との間に設けられてロックピン５がロック保持位置の時にはロックピン５の長手方向（前後方向）の移動を阻止すると共にロックピン５がロック保持解除位置の時にはロックピン５の長手方向の移動を許容する抜止機構４３と、ロックピン５と操作レバー７との間に設けられてロックピン５がロック保持解除位置を保つ様にロックピン５の自由回動を規制する自由回動規制機構４４とを備えている。
【００３０】
回動操作体４１は、合成樹脂製で略半円板状を呈して居り、前側には受穴が窪設されてここにはロックピン５の取付片３６が挿入され、ビス等の取付具４５に依り着脱可能に取付けられる。
【００３１】
回動規制機構４２は、ロックピン５に設けられてこれを外部から回動操作可能な回動操作体４１と、ロックベース３に設けられてロックピン５がロック保持位置とロック保持解除位置の時には回動操作体４１の一部が当合し得る突起４６とを備え、回動操作体４１が水平状態の時にはロックピン５をロック保持位置にすると共に、回動操作体４１が垂直状態の時にはロックピン５をロック保持解除位置にする様にされている。
回動操作体４１は、図３に示す如く、垂直状態の時には、ロックピン５の鍔片３５が水平状態になって回動規制機構４２に依りロックピン５がロック保持解除位置になり、この状態から、図４に於て時計方向に９０度だけ回動して図８に示す如く、水平状態した時には、ロックピン５の鍔片３５が垂直状態になって回動規制機構４２に依りロックピン５がロック保持位置になる様にしてある。
突起４６は、略角柱状を呈し、ロックベース３の蓋体２７に後向きに突設されている。
【００３２】
抜止機構４３は、ロックピン５の略小判型を呈する鍔片３５と、ロックベース３に設けられてロックピン５がロック保持位置の時には鍔片３５に当合し得ると共にロックピン５がロック保持解除位置の時には鍔片３５との当合が回避される抜止片４７とを備えている。抜止片４７は、板状を呈し、ロックベース３の蓋体２７の前面左側下部から前方に突設されている。
【００３３】
自由回動規制機構４４は、操作レバー７の二股状を呈するフォーク片３７と、ロックピン５の鍔片３５に形成されて回動操作体４１が垂直状態の時には操作レバー７の両フォーク片３７間に挟まれて嵌合される係合部４８とを備えている。係合部４８は、方形板状を呈し、鍔片３５の前側に形成されている。
【００３４】
搖動許容手段９は、ロックピン５をロック位置に保持した際に同状態を維持しつつ操作レバー７のアンロック側への搖動を許容するもので、この例では、ロックピン５と操作レバー７との間に設けられてロックピン５がロック保持解除位置の時にはロックピン５と操作レバー７とを係合させると共にロックピン５がロック保持位置の時にはロックピン５と操作レバー７との係合を解除する係脱機構４９と、ロックベース３とロックピン５との間に設けられてロックピン５をロック保持解除位置からロック保持位置まで回動するに連れてロックピン５をアンロック側へ所定距離だけ移動させるカム機構５０と、ロックベース３と操作レバー７との間に設けられて操作レバー７を常時ロック側へ付勢する操作レバー弾性体５１と、ロックピン５と操作レバー７の両方を常時ロック側に付勢する弾性体６とを備えている。
【００３５】
係脱機構４９は、操作レバー７の二股状を呈するフォーク片３７と、ロックピン５の略小判型を呈する鍔片３５とを備え、図２に示す如く、操作レバー７の両フォーク片３７の内側間隔Ａよりロックピン５の鍔片３５の最小幅Ｂが小さくされて操作レバー７の両フォーク片３７間をロックピン５の鍔片３５が通過可能にされている。
【００３６】
カム機構５０は、ロックピン５の略小判型を呈する鍔片３５と、鍔片３５のロック側の面に対向するロックベース３に形成されて鍔片３５に当合し得る略半月状を呈するカム面５２とを備えている。所定距離は、操作レバー７のフォーク片３７の厚み以上にしてある。
【００３７】
操作レバー弾性体５１は、スプリング鋼等の金属製で圧縮型のねじりコイルスプリングにしてあり、巻部がロックベース３の一方（幅広）の挿入孔３０に挿入されて操作レバー７の一方のボス片３８に隣接されて支軸４０に依り枢支されて居り、一端が操作レバー７の一方のフォーク片３７の上部に掛止されていると共に、他端がロックベース３の箱体２６の上部に形成した凹部５３に掛止されている。
【００３８】
弾性体６は、円錐コイルスプリングにして大径部を前側に向けているので、ロックピン５をロック側に付勢するだけでなく、操作レバー７のフォーク片３７に大径部が当合してこのフォーク片３７をロック側に付勢する様にしてある。
【００３９】
遮断手段１０は、操作レバー７の操作片３９と柱体２との間に設けられて、これらの間に位置して操作レバー５のアンロック側への搖動を阻止する阻止位置と、これらの間から離脱して操作レバー５のアンロック側への搖動を許容する解除位置とをとり得るもので、この例では、ロックベース３の箱体２６の左側上部に設けられたブラケット５４と、ブラケット５４に設けられて操作レバー７の操作片３９と柱体２との間に位置する阻止位置から操作レバー７の操作片３９と柱体２との間から離脱する解除位置までロックピン５に平行な前後方向軸廻りに俯仰可能な遮断体５５とを備えている。
【００４０】
次に、この様な構成に基づいてその作用を述解する。
テント用ロック装置１は、次の様にして組立てられる。
操作レバー７のフォーク片３７及びボス片３８と操作レバー弾性体５１の巻部とがロックベース３の挿入孔３０に挿入されると共に、操作レバー７のボス片３８と操作レバー弾性体５１の巻部とが支軸４０に依りロックベース３に搖動可能に取付けられる。操作レバー弾性体５１の一端が操作レバー７のフォーク片３７の上部に掛止されると共に、他端がロックベース３の凹部５３に掛止される。
ロックピン５の後半に大径部を前側にして弾性体６が挿通されると共に、ロックピン５の後側がロックベース３の蓋体２７の案内孔２９に挿通された後、取付具４５に依りロックピン５の取付片３６に回動操作体４１が取付けられる。そして、ロックピン５がロックベース３の箱体２６内に挿入されてロックベース３の筒体２５の案内孔２９に挿通されると共に、止具３２に依りロックベース３の蓋体２７が箱体２６に固定される。そうすると、操作レバー７のフォーク片３７は、ロックピン５の前側に跨った状態で鍔片３５の前側に当合される。
【００４１】
この様にして組立てられたテント用ロック装置１は、次の様にして柱体２の外筒１１に取付られる。
操作レバー７がアンロック側に搖動操作されてロックピン５がアンロック位置にされた状態で、柱体２の外筒１１の下部にロックベース３の筒体２５が外嵌されると共に、外筒１１の掛合孔１３とロックベース３の掛合孔２８、外筒１１の通孔２１とロックベース３の案内孔２９とが夫々合致される。そして、外筒側摺動体１６の突起２０を備えた摺動片１９が窄められて外筒１１の下部に挿入されると、外筒側摺動体１６の突起２０が摺動片１９の弾性復元力に依り外筒１１の掛合孔１３とロックベース３の掛合孔２８に掛合されると共に、外筒１１の通孔１４と外筒側摺動体１６の通孔２１が合致されてロックピン５がこれらの通孔１４，２１を経て外筒側摺動体１６の内側に突出可能にされる。
内筒側摺動体１７は、嵌入片２３を内筒１２の上部に嵌入する事に依り取付けられる。
そして、柱体２の外筒１１の下方から内筒１２の上部が外筒１１の内部へ摺動可能に挿入される。
【００４２】
柱体２の内筒１２とロックベース３を相対昇降させてロック孔４とロックピン５が合致したならば、弾性体６に依りロックピン５がロック孔４に突入されてロック位置になり、柱体２の内筒１２とロックベース３との相対昇降が阻止される（図３，４参照）。
ロック孔４とロックピン５が合致しない場合は、ロックピン５の摺接片３４が柱体２の内筒１２の外面に摺接されるので、内筒１２が損傷される事がない。
【００４３】
この様な状態から、弾性体６及び操作レバー弾性体５１に抗して操作レバー７がアンロック側に搖動、つまり図３に於て支軸４０を中心として時計方向に回動されると、ロックピン５がロック孔４から抜け出てアンロック位置にされ、柱体２の内筒１２とロックベース３との相対昇降が許容される（図７参照）。
【００４４】
図３及び図４に示す如く、ロック保持手段８の回動操作体４１が垂直状態されると、ロックピン５の鍔片３５が水平状態になって回動規制機構４２の回動操作体４１と突起４６に依りロックピン５がロック保持解除位置にされると共に、抜止機構４３の鍔片３５と抜止片４７に依り長手方向の移動が許容される。この時、回動規制機構４２の回動操作体４１の下右面と突起４６とが当合して回動操作体４１の回動（図４に於て反時計方向の回動）が阻止されると共に、自由回動規制機構４４のフォーク片３７と係合部４８とが嵌合されてロックピン５の自由回動（図４に於て時計方向の回動）が規制される。従って、操作レバー７がアンロック側へ操作されると、ロックピン５がアンロック位置にされる。
【００４５】
図８及び図９に示す如く、ロック保持手段８の回動操作体４１が垂直状態から９０度だけ回動されて水平状態にされると、ロックピン５の鍔片３５が垂直状態になって回動規制機構４２の回動操作体４１と突起４６に依りロックピン５がロック保持位置にされると共に、抜止機構４３の鍔片３５と抜止片４７に依り長手方向の移動が阻止される。この時、回動規制機構４２の回動操作体４１の右下面と突起４６とが当合して回動操作体４１の回動（図９に於て時計方向の回動）が阻止されると共に、自由回動規制機構４４のフォーク片３７と係合部４８との嵌合が解除される。従って、ロックピン５がロック位置に保持されるので、柱体２の内筒１２とロックベース３との相対昇降が阻止される。
【００４６】
図１０に示す如く、ロック保持手段８の回動操作体４１が水平状態にされてロックピン５がロック保持手段８に依りロック位置に保持されている状態に於て、誤って操作レバー７が操作レバー弾性体５１に抗してアンロック側へ操作されると、搖動許容手段９の係脱機構４９に依りロックピン５の垂直状態の鍔片３５と操作レバー７のフォーク片３７との係合が解除されて操作レバー７のアンロック側への搖動が許容される。この時、操作レバー７のフォーク片３７は、付け根がロックピン５の鍔片３５に係合されつつ先端が弾性体６の大径部に当合してこれを圧縮すると共に、ロックピン５は、ロック保持位置に保たれたままとなる。従って、操作レバー７のフォーク片３７が折れ曲がったり、ロックピン５や弾性体６等が損傷する事がない。
【００４７】
図１１及び図１２の実線で示す如く、遮断手段１０の遮断体５５を阻止位置にすると、操作レバー７の操作片３９が遮断体５５に当たってこれのアンロック側への搖動が阻止される。
図１２の鎖線で示す如く、遮断手段１０の遮断体５５を解除位置にすると、操作レバー７のアンロック側への搖動が許容される。
従って、遮断手段１０の遮断体５５を阻止位置にして置けば、例えば子供等が誤って操作レバー７をアンロック側へ操作しても、搖動できなくなるので、操作レバー７の操作片３９と柱体２との間に指等を挟む惧れがなくなり、安全性が更に向上する。
【００４８】
搖動許容手段９のカム機構５０は、図３及び図４に示す如く、ロック保持手段８の回動操作体４１が垂直状態にされてロックピン５の鍔片３５が水平状態の時には、ロックピン５の鍔片３５をロック側へ移動させると共に、図８及び図９に示す如く、ロック保持手段８の回動操作体４１が水平状態にされてロックピン５の鍔片３５が垂直状態の時には、ロックピン５の鍔片３５をアンロック側へ所定距離だけ移動させる様にしているので、ロックピン５の鍔片３５と操作レバー７のフォーク片３７との係合・離脱が円滑且つ確実に行われる。
【００４９】
操作レバー弾性体５１は、図８に示す如く、操作レバー７を常にロック側に付勢する様にしているので、操作レバー７の遊動を防止する事ができる。
【００５０】
ロック保持手段８の回動規制機構４２は、回動操作体４１が水平状態の時にはロックピン５をロック保持位置にすると共に、回動操作体４１が垂直状態の時にはロックピン５をロック保持解除位置にする様にしてあるので、回動操作体４１を垂直状態から操作する場合、一見しただけで操作レバー７とは操作方向が異なる事が判ると共に、前後方向軸（ロックピン５の長手方向軸）廻りに回動させて水平状態にすれば良い事が判る。従って、回動操作体４１を操作レバー７と同じ横軸（左右方向軸、ロックピン５の長手直角軸）廻りに回動させる惧れがなくなり、構成部品の損傷や作動不良を誘発する事がなくなる。
【００５１】
ロック保持手段８の回動規制機構４２は、回動操作体４１と、ロックベース３との間に設けられて回動操作体４１の回動を水平状態から垂直状態までの間に規制する突起４６とを備えているので、この突起４６の存在に依りこれを一見しただけで回動操作体４１の操作方向が判る。加えて、もし、回動操作体４１を水平状態にして足に依り踏んでこれを操作しようとしても、突起４６がある事に依り回動操作体４１の下動が物理的にも阻止され、これらの損傷等を防止する事ができる。
【００５２】
ロック保持手段８の自由回動規制機構４４は、ロックピン５の自由回動を規制して回動操作体４１が垂直状態を保つ様にしているので、不用意に回動操作体４１が水平状態の方向に回動してロックピン５がロック位置にされる惧れがなくなる。その結果、操作レバー７を操作すれば、適正にロックピン５をアンロック位置にする事ができる。
【００５３】
ロックピン５と操作レバー７を利用してロック保持手段８や搖動許容手段９を構成しているので、極めて合理的である。つまり、それだけ構造が簡略化されてコストの低減と省スペースを図る事ができる。
【００５４】
外筒側摺動体１６を利用してロックベース３を柱体２の外筒１１に着脱可能に取付ける様にしているので、極めて合理的である。
ロックベース３の箱体２６の底壁には、排出口３１を備えているので、内部に侵入した雨水等を速やかに排出する事ができる。その結果、内部機構の錆付き等が防止されて作動不良を防ぐ事ができる。
【００５５】
尚、先の例では、ロックベース３は、外筒１１に固定されていると共に、ロック孔４は、内筒１２に設けられ、外筒１１には、ロックピン５を貫通する通孔１４が設けられていたが、これに限らず、例えばロックベース３は、外筒１１に対して昇降可能に設けられていると共に、ロック孔４は、外筒１１に設けられていても良い。この様にすれば、ロックベース３にテントの梁部材（図示せず）を取付けて柱体２と梁部材との間にロック装置１を設ける事ができる。
弾性体６や操作レバー弾性体５１は、先の例では、コイルスプリングであったが、これに限らず、例えば板バネやゴム等でも良い。
回動規制機構４２は、先の例では、回動操作体４１と突起４６とで構成したが、これに限らず、例えば特許文献１，２に示す如く、ロックピン５の鍔片３５と、ロックベース３に設けられた当片とで構成しても良い。
回動規制機構４２は、先の例では、ロックベース３の蓋体２７に突起４６を突設したが、これに限らず、例えばロックベース３の箱体２６に回動操作体４１の付け根部分（最大直径部分）を回動可能に覆う円筒を突設すると共に、この円筒内に突起４６を形成しても良い。
【符号の説明】
【００５６】
１…テント用ロック装置、２…柱体、３…ロックベース、４…ロック孔、５…ロックピン、６…弾性体、７…操作レバー、８…ロック保持手段、９…搖動許容手段、１０…遮断手段、１１…外筒、１２…内筒、１３…掛合孔、１４…通孔、１５…補強リブ、１６…外筒側摺動体、１７…内筒側摺動体、１８…枠片、１９…摺動片、２０…突起、２１…通孔、２２…蓋片、２３…嵌入片、２４…摺動片、２５…筒体、２６…箱体、２７…蓋体、２８…掛合孔、２９…案内孔、３０…挿入孔、３１…排出口、３２…止具、３３…受孔、３４…摺接片、３５…鍔片、３６…取付片、３７…フォーク片、３８…ボス片、３９…操作片、４０…支軸、４１…回動操作体、４２…回動規制機構、４３…抜止機構、４４…自由回動規制機構、４５…取付具、４６…突起、４７…抜止片、４８…係合部、４９…係脱機構、５０…カム機構、５１…操作レバー弾性体、５２…カム面、５３…凹部、５４…ブラケット、５５…遮断体、Ａ…内側間隔、Ｂ…最小幅。
【図１】
0005582611.tif 000002
【図２】
0005582611.tif 000003
【図３】
0005582611.tif 000004
【図４】
0005582611.tif 000005
【図５】
0005582611.tif 000006
【図６】
0005582611.tif 000007
【図７】
0005582611.tif 000008
【図８】
0005582611.tif 000009
【図９】
0005582611.tif 000010
【図１０】
0005582611.tif 000011
【図１１】
0005582611.tif 000012
【図１２】
0005582611.tif 000013